(57)【要約】本発明は、手動分離可能なオス円筒形アセンブリおよびメス円筒形アセンブリを含む２つの別個の構成要素または物品を共に固定するための自己作動式磁気ロック機構およびシステムに関するものである。オスおよびメス円筒形アセンブリは永久磁石とインターロックアセンブリとをそれぞれ含有する。そのオスおよびメスアセンブリの相互接近によって、磁力は相互に引き寄せ、そのアセンブリを磁気的に保持されロックされた状態に促すことになる。保持されロックされた状態は、その中に位置付けられた永久磁石の相対的なアライメントと関連して、そのオスまたはメスアセンブリのシームレスな手動の反時計周りの相対的な回転によってのみ解除され得、そのオスおよびメスアセンブリが相互に磁気反発力によって互いに物理的にはね返されることを結果としてもたらすことになる。
2014523496.tif 000002
【特許請求の範囲】
【請求項１】
手動分離可能なオスアセンブリおよび手動分離可能なメスアセンブリからなる自己作動式磁気ロックシステムであって、
（ａ）前記メスアセンブリは内部円筒形穴筺体を含み、
（ｂ）前記オスアセンブリは、前記メスアセンブリの前記内部円筒形穴筺体に挿入され得、および前記内部円筒形穴筺体に対して相対的に回転可能であり得る円筒形突出オス部材を含み、ロックされた状態を生じさせ、
（ｃ）前記オスアセンブリおよび前記メスアセンブリは、交互に面した極性の対称的な磁極アレイに配列された少なくとも１組の正反対の永久磁石からぞれぞれなり、
（ｄ）前記オスアセンブリおよび前記メスアセンブリは、等量の少なくとも１組の永久磁石からなり、
それによって、前記少なくとも１組の永久磁石は、前記アセンブリが互いの近接に導かれたときに前記円筒形突出オス部材および前記メス穴を相互にロックされた状態に磁気的に引き寄せるように、それぞれ形作られ、前記オスアセンブリおよび前記メスアセンブリ内に位置付けられる、自己作動式磁気ロックシステム。
【請求項２】
前記オスアセンブリは、前記円筒形突出オス部材の外部周囲壁を越えて放射状に自然に延びる少なくとも１組の正反対の突起要素からなる、請求項１に記載の自己作動式磁気ロックシステム。
【請求項３】
前記メスアセンブリは、前記メスアセンブリの前記内部円筒形穴筺体の壁内に組み込まれる少なくとも１組の正反対の凹溝からなる、請求項１および２に記載の自己作動式磁気ロックシステム。
【請求項４】
前記少なくとも１組の正反対の凹溝は、前記突起要素が、前記円筒形突出オス部材の外部周囲壁を越えて、また、ロックされた状態にある前記メス穴の内部周囲壁の凹開口内に、放射状に十分に延びることを可能にするために、前記メス穴筺体壁の内側の前記凹開口で始まる、請求項３に記載の自己作動式磁気ロックシステム。
【請求項５】
前記凹開口内部壁の真ん中の中心から、前記凹壁の奥行きが、前記メス円筒形穴筺体壁の同じ中心軸に中心を置いたらせん形円弧の形態で、反時計回り方向に減り、前記メス円筒形穴筺体壁の半径に等しい前記らせん形円弧の半径で終わる、請求項４に記載の自己作動式磁気ロックシステム。
【請求項６】
前記少なくとも１組の正反対の突起要素は、前記突起要素を前記円筒形突出オス部材の前記外部周囲壁の内側に十分に引っ込めることを可能にするバネまたは屈曲システムを用いて組み込まれる、請求項２〜５に記載の自己作動式磁気ロックシステム。
【請求項７】
前記少なくとも１組の正反対の突起要素は、前記円筒形突出オス部材が前記メスアセンブリの前記内部円筒形穴筺体に挿入されたときに前記突起要素に押し付ける前記内部円筒形メス穴筺体の丸みを帯びた縁部の力によってそれら自体をシームレスに引っ込めることを可能にするように形作られる、請求項２〜６に記載の自己作動式磁気ロックシステム。
【請求項８】
前記ロックされた状態において、前記突起要素が、前記円筒形突出オス部材の前記外部周囲壁を越えて、また、前記メス穴の前記内部周囲壁の前記凹溝開口内に、放射状に十分に延ばされる場合に、前記突出オス部材は、前記メスアセンブリの前記内部円筒形穴筺体の中に磁気的に引き寄せられ、回転でアライメントされる、請求項１に記載の自己作動式磁気ロックシステム。
【請求項９】
前記突起要素は、前記凹溝の内側のそれら自体のシームレスな回転を可能にするように、更に形作られる、請求項１〜８に記載の自己作動式磁気ロックシステム。
【請求項１０】
前記少なくとも１組の正反対の凹溝は、ロックされた状態におけるそれらの自然な突起位置から、ロックが解除された状態における前記円筒形突出オス部材の前記外部周囲壁の内側のそれらの引っ込められた位置への前記突起要素の変移を生じさせる、前記溝の内側の前記突起要素の相対的な反時計回りの回転を可能にする、請求項１〜８に記載の自己作動式磁気ロックシステム。
【請求項１１】
前記メスアセンブリは、前記メスアセンブリの前記内部円筒形穴筺体壁を越えて放射状に自然に延びる少なくとも１組の正反対の突起要素からなる、請求項１に記載の自己作動式磁気ロックシステム。
【請求項１２】
前記オスアセンブリは、前記円筒形突出オス部材壁内に組み込まれる少なくとも１組の正反対の凹溝からなる、請求項１および１１に記載の自己作動式磁気ロックシステム。
【請求項１３】
前記少なくとも１組の正反対の凹溝は、前記円筒形突出オス部材壁の内側の凹開口で始まり、前記メス穴の前記内部周囲壁を越えて、また、ロックされた状態における前記円筒形突出オス部材壁の前記凹溝開口内に、前記突起要素が放射状に十分に延びることを可能にする、請求項１２に記載の自己作動式磁気ロックシステム。
【請求項１４】
前記凹開口内部壁の真ん中の中心から、前記凹壁の奥行きが、前記円筒形突出オス部材壁と同じ中心軸に中心を置いたらせん形円弧の形態で、反時計回り方向に減り、前記円筒形突出オス部材壁の半径に等しい前記らせん形円弧の半径で終わる、請求項１３に記載の自己作動式磁気ロックシステム。
【請求項１５】
前記らせん形円弧は、前記凹開口内部壁の前記真ん中の中心から始まり、各アセンブリ内に含有される永久磁石の組の数で９０度を割ったものに等しい、角測長さを有する、請求項５および１４に記載の自己作動式磁気ロックシステム。
【請求項１６】
前記少なくとも１組の正反対の突起要素は、前記突起要素を前記メスアセンブリの前記内部円筒形穴筺体壁の内側に十分に引っ込めることを可能にするバネまたは屈曲システムを用いて組み込まれる、請求項１と請求項１１〜１５とに記載の自己作動式磁気ロックシステム。
【請求項１７】
前記少なくとも１組の正反対の突起要素は、前記円筒形前記突出オス部材が前記メスアセンブリの前記内部円筒形穴筺体に挿入されたときに、前記突起要素に押し付ける前記円筒形突出オス部材の丸みを帯びた上部縁部の力によってそれら自体をシームレスに引っ込めることを可能にするように形作られる、請求項１と請求項１１〜１６とに記載の自己作動式磁気ロックシステム。
【請求項１８】
前記突出オス部材が前記メスアセンブリの前記内部円筒形穴筺体内に磁気的に引き寄せられる前記ロック状態は、回転でアライメントされ、およびその場合、前記突起要素は、前記メスアセンブリの内部円筒形穴筺体壁を越えて、また、前記円筒形突出オス部材壁の前記凹溝開口内に、放射状に十分に延ばされる、請求項１と請求項１１〜１７とに記載の自己作動式磁気ロックシステム。
【請求項１９】
前記突起要素は、前記凹溝の内側のそれらのシームレスな回転を可能にするように、更に形作られる、請求項１と請求項１１〜１８とに記載の自己作動式磁気ロックシステム。
【請求項２０】
前記少なくとも１組の正反対の凹溝は、ロックされた状態にあるそれらの自然な突起位置から、ロックが解除された状態にある前記メスアセンブリの前記内部円筒形穴筺体壁の内側のそれらの引っ込められた位置に前記突起要素の変移を生じさせる、前記溝の内側の前記突起要素の相対的な反時計回りの回転を可能にする、請求項１と請求項１１〜１９とに記載の自己作動式磁気ロックシステム。
【請求項２１】
前記オスアセンブリおよび前記メスアセンブリの少なくとも１つは、相互に接続した外部軸性リングからなる、請求項１〜２０に記載の自己作動式磁気ロックシステム。
【請求項２２】
前記相互に接続した外部回転リングは、前記オスアセンブリおよび前記メスアセンブリが互いに近くに引き寄せられるように、固定された軸方向に保持される、請求項２１に記載の自己作動式磁気ロックシステム。
【請求項２３】
前記相互に接続した外部軸性リングを含まない他の前記オスまたはメスアセンブリは、前記オスおよびメスアセンブリが互いに近くに引き寄せられるように、固定された軸方向に保持される、請求項２１または２２に記載の自己作動式磁気ロックシステム。
【請求項２４】
前記オスアセンブリおよび前記メスアセンブリは、等量の少なくとも１組の突起要素および溝からなる、請求項１〜２３に記載の自己作動式磁気ロックシステム。
【請求項２５】
前記少なくとも１組の突起要素は、好ましくは、各アセンブリ内に含有される前記永久磁石の組の量に等しい、請求項１〜２４に記載の自己作動式磁気ロックシステム。
【請求項２６】
前記ロック状態は、固定された軸方向に手動でまたは機械的に保持される前記外部回転リングと相互に接続した前記オスまたはメスアセンブリの手動の反時計周りの相対的な回転によってのみ解除され得る、請求項１〜２５に記載の自己作動式磁気ロックシステム。
【請求項２７】
前記手動の反時計周りの相対的な回転では、ロックが解除された状態へ前記アセンブリを解除するために必要とされた、必要な相対的な反時計回りの回転角度が、前記らせん形円弧角測長さを上回る、請求項２６に記載の自己作動式磁気ロックシステム。
【請求項２８】
前記ロックが解除された状態において、前記オスアセンブリおよび前記メスアセンブリ内に含有された前記少なくとも１組の磁石は、相互に磁気反発し始め、相互磁気反発力によって互いに前記オスアセンブリおよび前記メスアセンブリをはね返す、請求項１〜２７に記載の自己作動式磁気ロックシステム。
【請求項２９】
前記少なくとも１組の磁石はＮｄＦｅＢネオジウムである、請求項１か〜２８に記載の自己作動式磁気ロックシステム。
【請求項３０】
前記少なくとも１組の磁石は、他の永久磁石材料または複合物でできている、請求項１〜２９に記載の自己作動式磁気ロックシステム。
【請求項３１】
前記オスアセンブリおよびメスアセンブリは、硬質プラスチック複合物材料で、または非磁気伝導性材料でできている、請求項１〜３０に記載の自己作動式磁気ロックシステム。
【請求項３２】
前記相互に接続した外部回転リングは、硬質プラスチック複合物材料で、または磁気非伝導性金属でできている、請求項１〜３１に記載の自己作動式磁気ロックシステム。
【請求項３３】
前記相互に接続した外部回転リングはカバーである、請求項２１または２２に記載の自己作動式磁気ロックシステム。
【請求項３４】
前記突起要素およびバネまたは屈曲システムは、プラスチック複合物材料で、または磁気非伝導性金属でできている、請求項１〜３３に記載の自己作動式磁気ロックシステム。
【発明の詳細な説明】
【技術分野】
【０００１】
発明の分野
本発明は、２つの構成要素または物品を共に固定するための自己作動式磁気ロック機構およびシステム、より詳細には、回転で係合され得る磁気ロック機構に関するものである。
【背景技術】
【０００２】
発明の概要
手動分離可能なアセンブリを含む磁気締結および閉止システムの使用は、同じ手法で、多かれ少なかれ、多数の用途および主要な大部分の機能用にさまざまな産業において周知である。
【０００３】
そのような磁気締結および閉止システムのアセンブリは、単に磁気吸引力によって、互いに相互に引き寄せられ、締結または閉止位置に維持される。そのような磁気締結および閉止システムの１つの欠点は、それらのシステムが、アセンブリの相互磁気吸引力を上回るアセンブリに作用した外部の力によって意図的にまたは偶然に外され得るか、あるいは開けられ得るということである。磁気締結および閉止システムを外すことまたは開けることは、簡単であり、アセンブリは、アセンブリの磁気吸引力よりも大きな手動の分離力によって相互に外される。
【０００４】
これらの磁気締結および閉止システムの更なる欠点は、アセンブリがそれらの相互磁気吸引から外されるために、それらのシステムが、粗いかつ人為的な手動のぐいっと引く動作を必要とするということである。
【０００５】
本発明の目的は、アセンブリの磁気吸引力よりも大きなアセンブリに作用した外部の力によって、意図的にまたは偶然に外されることか開けられることを妨げるために、アセンブリ間に磁気的および機械的にロックされた係合を提供することにある。
【０００６】
このことは、手動分離可能なオスおよびメスアセンブリが相互の近傍に引き寄せられる際に、磁力が、抑制されていない回転運動をするアセンブリのいずれかが他の保持されたアセンブリとの自然な磁気アライメント状態へ回転することを可能にし、磁気的に互いに吸引し、オスおよびメスアセンブリを磁気的に保持されたロックされた状態に促す場合に、実現される。
【０００７】
発明は、交互に面した極性の対称的な磁極アレイに配列された永久磁石をそれぞれ含有する円筒形突出オス部材および円筒形メス穴筺体アセンブリを含む。
ロックされた状態は、円筒形突出オス部材壁アセンブリまたは内部円筒形メス穴筺体壁アセンブリを越えて、および、他のアセンブリ壁上に組み込まれた凹溝開口の中に放射状に十分に延びる引込み可能な突起要素によって達成される。この構成は、アセンブリの磁気吸引力よりも大きな外部の力の印加によってアセンブリの分離を妨げることになる。
【０００８】
本発明の更なる目的は、アセンブリを分離するために必要とされる粗暴かつ人為的な手動のぐいっと引く動作を無くすために、アセンブリ間でシームレスに磁気で外すことをもたらすことにある。
【０００９】
これは、ロックされた状態が、抑制されていない回転運動をするオスまたはメスアセンブリのシームレスな手動の反時計周りの相対的な回転によってのみ解除され得る本発明を用いて実現される。
【００１０】
この手動の反時計周りの相対的な回転は、円筒形突出オス部材壁アセンブリまたは内部円筒形メス穴筺体壁アセンブリの溝開口の内側のそれらの自然な突起位置から他のアセンブリ壁の内側のそれらの十分に引っ込められた位置に引込み可能な突起要素の変移を結果としてもたらすことになり、それ故に、上記アセンブリの物理的な分離を可能にする。
【００１１】
手動の反時計周りの相対的な回転はまた、両方のアセンブリに含有される永久磁石が相互に磁気反発し始めることを結果としてもたらすことになり、相互磁気反発力によって互いにオスアセンブリおよびメスアセンブリをはね返す。
【００１２】
低製造コストなどの本発明の他の目的、特色、特徴は、添付の図面と、後に続く説明から明らかになるであろう。
【図面の簡単な説明】
【００１３】
【図１】２つの別個の環状の永久磁石の組が自然な磁気アライメント状態にある本発明の実施形態の斜視図である。
【図２】永久磁石の上部の組の相対的な９０度の相対的な反時計回りの回転後の２つの別個の環状の永久磁石の組の斜視図である。
【図３】永久磁石の上部の組の相対的な１８０度の回転後の２つの別個の環状の永久磁石の組の斜視図である。
【図４】永久磁石の上部の組の相対的な２７０度の回転後の２つの別個の環状の永久磁石の組の斜視図である。
【図５ａ】本発明の実施形態の分解斜視図である。
【図５ｂ】本発明の実施形態の分解断面図である。
【図６ａ】本発明の実施形態の別個のオス締結アセンブリおよびメス締結アセンブリの斜視図である。
【図６ｂ】本発明の実施形態の別個のオス締結アセンブリおよびメス締結アセンブリの断面図である。
【図７】本発明の実施形態のメス締結アセンブリの側面図である。
【図８ａ】本発明の実施形態のメス締結アセンブリの上部断面図である。
【図８ｂ】本発明の実施形態のメス締結アセンブリの断面図である。
【図８ｃ】本発明の実施形態のメス締結アセンブリの断面図である。
【図９】本発明の実施形態の別個の締結アセンブリの断面図である。
【図１０】本発明の実施形態の別個の締結アセンブリの断面図である。
【図１１ａ】相互にロックされた状態にある２つの締結アセンブリの断面図である。
【図１１ｂ】相互にロックされた状態にある２つの締結アセンブリの断面図である。
【図１１ｃ】相互にロックされた状態にある２つの締結アセンブリの断面図である。
【図１２ａ】締結具のロックされた状態に対してメス穴筺体の相対的な９０度の反時計周りの手動回転後にニュートラルの磁気アライメント状態にある２つの締結アセンブリの断面図である。
【図１２ｂ】締結具のロックされた状態に対してメス穴筺体の相対的な９０度の反時計周りの手動回転後にニュートラルの磁気アライメント状態にある２つの締結アセンブリの断面図である。
【図１２ｃ】締結具のロックされた状態に対してメス穴筺体の相対的な９０度の反時計周りの手動回転後にニュートラルの磁気アライメント状態にある２つの締結アセンブリの断面図である。
【図１３】アセンブリの相互磁気反発力およびそれらの現在のアライメントによってロックが解除され分離された別個の締結アセンブリの断面図である。
【図１４】アセンブリの相互磁気反発力およびそれらの現在のアライメントによってロックが解除され分離された別個の締結アセンブリの断面図である。
【図１５ａ】本発明の実施形態の別個のオス締結具アセンブリおよびメス締結具アセンブリの斜視図である。
【図１５ｂ】本発明の実施形態の分解断面図である。
【図１６ａ】相互にロックされた状態にある２つの締結具アセンブリの断面図である。
【図１６ｂ】相互にロックされた状態にある２つの締結具アセンブリの断面図である。
【図１６ｃ】相互にロックされた状態にある２つの締結具アセンブリの断面図である。
【図１７ａ】締結具のロックされた状態に対してメス穴筺体の相対的な９０度の反時計周りの手動回転後にニュートラルの磁気アライメント状態にある２つの締結具アセンブリの断面図である。
【図１７ｂ】締結具のロックされた状態に対してメス穴筺体の相対的な９０度の反時計周りの手動回転後にニュートラルの磁気アライメント状態にある２つの締結具アセンブリの断面図である。
【図１７ｃ】締結具のロックされた状態に対してメス穴筺体の相対的な９０度の反時計周りの手動回転後にニュートラルの磁気アライメント状態にある２つの締結具アセンブリの断面図である。
【図１８】それらの現在のアライメントにおいてそのアセンブリの相互磁気反発力によってロックが解除され分離された別個の締結具アセンブリの断面図である。
【図１９】それらの現在のアライメントにおいてそのアセンブリの相互磁気反発力によってロックが解除され分離された別個の締結具アセンブリの断面図である。
【図２０】本発明の実施形態の自然な磁気アライメントにおける交互に面した極性を有する永久磁石の２つの別個の組の斜視図である。
【図２１】本発明の実施形態の交互に面した極性を有する永久磁石の外部の組の相対的な４５度の反時計周りの回転後の交互に面した極性を有する永久磁石の２つの別個の組の斜視図である。
【図２２】本発明の実施形態の交互に面した極性を有する永久磁石の外部の組の相対的な９０度の反時計周りの回転後の交互に面した極性を有する永久磁石の２つの別個の組の斜視図である。
【図２３ａ】本発明の実施形態の別個の閉止カバーアセンブリおよび容器アセンブリの斜視図である。
【図２３ｂ】本発明の実施形態の別個の閉止カバーアセンブリおよび容器アセンブリの断面図である。
【図２３ｃ】本発明の実施形態の閉止カバーアセンブリの中央溝の高さにおける断面図である。
【図２４ａ】本発明の実施形態のロックされた状態にある閉止容器アセンブリの断面図である。
【図２４ｂ】本発明の実施形態のロックされた状態にある閉止容器アセンブリの断面図である。
【図２４ｃ】本発明の実施形態のロックされた状態にある閉止容器アセンブリの断面図である。
【図２５ａ】締結具のロックされた状態に対してメス穴筺体の相対的な４５度の反時計周りの手動回転後にロックが解除された状態にある閉止容器アセンブリの断面図である。
【図２５ｂ】締結具のロックされた状態に対してメス穴筺体の相対的な４５度の反時計周りの手動回転後にロックが解除された状態にある閉止容器アセンブリの断面図である。
【図２５ｃ】締結具のロックされた状態に対してメス穴筺体の相対的な４５度の反時計周りの手動回転後にロックが解除された状態にある閉止容器アセンブリの断面図である。
【図２６】それらの現在のアライメントにおいてそのアセンブリの相互磁気反発力によってロックが解除され分離された閉止容器アセンブリの断面図である。
【図２７】それらの現在のアライメントにおいてそのアセンブリの相互磁気反発力によってロックが解除され分離された閉止容器アセンブリの断面図である。
【図２８】ロックされた状態にある本発明の実施形態の断面図である。
【図２９】ロックが解除された状態にある本発明の実施形態の断面図である。
【発明を実施するための形態】
【００１４】
本発明の内部磁気作用を理解するために、再検討は、図１〜図４に例示されるような２組の永久磁石９および１０に相互に作用する異なる磁気アライメント力のそれぞれについて行われる必要がある。
【００１５】
永久磁石の各組は、それらの円弧端に永続的に接続される対向した水平に面した極性を有する２つの正反対の同一の半分の環状磁石から構成される。磁石は、好ましくは、ＮｄＦｅＢネオジウム磁石であるか、あるいは、他の永久磁石材料または複合物でできている。
【００１６】
以下の４つの例示において、永久磁石１０の組は不動の固定された位置にあり、その一方で、永久磁石９の組だけが、手動で軸３０周りに回転され得る。
図１は、自然な磁気アライメントにおける永久磁石９および１０の組を示す。永久磁石の両方の組は、相互の最大吸引力によって互いに引き寄せられ、それ故に、永久磁石９の組がこの現在のアライメントのままにあることを促す。永久磁石の各組からの半分の環状磁石は、それらの個々の吸引相手とアライメントされる。半分の環状磁石１６は半分の環状磁石１８とアライメントされ、半分の環状磁石１７は半分の環状磁石１９とアライメントされる。これはまた、点１‐５、２‐６、３‐７、４‐９の垂直アライメントによって示される。
【００１７】
図１に関して、図２は、永久磁石９の組の軸３０周りの相対的な９０度の反時計周りの手動回転後の永久磁石の両方の組を示す。これはまた、点２‐５、３‐６、４‐７、１‐９の垂直アライメントによって示される。
【００１８】
図２は、ニュートラルの磁気アライメントにおける永久磁石９および１０の組を示す。永久磁石の組を互いの方へ引く相互磁気垂直力はない。このアライメントにおける磁石の相互的吸引力および反発垂直磁力の合計は、互いに打ち消される。
【００１９】
図１に関して、図３は、永久磁石９の組の垂直軸３０周りの相対的な１８０度の手動回転後の永久磁石の両方の組を示す。これはまた、点３‐５、４‐６、１‐７、２‐９の垂直アライメントによって示される。
【００２０】
図３は、互いの相互の最大磁気反発でアライメントされた永久磁石９および１０の組を示す。永久磁石の各組からの半分の環状磁石は、それらの個々の反発相手とアライメントされる。半分の環状磁石１６は半分の環状磁石１９とアライメントされ、半分の環状磁石１７は半分の環状磁石１８とアライメントされる。
【００２１】
図１に関して、図４は、永久磁石９の組の垂直軸３０周りの相対的な９０度の時計周りの手動回転後の永久磁石の両方の組を示す。これはまた、点４‐５、１‐６、２‐７、３‐９の垂直アライメントによって示される。
【００２２】
このアライメントにおける磁石の相互吸引力および反発磁力の合計は、互いに打ち消され、垂直力がないことを結果としてもたらす。
図５ａから図１４までは、一例として、閉止フラップを有するハンドバッグ上に組み込まれ得る、自己作動式磁気ロック締結デバイスとしての本発明の実施形態を示す。この実施形態の利点は、２つの締結アセンブリの製造コストが低いことである。
【００２３】
図５ａ、図５ｂ、図６ａおよび図６ｂは、それらの個々のアセンブリ部品を有するオス締結アセンブリ１４およびメスアセンブリ１５の両方を個別に示す。
オス締結アセンブリ１４は、永続的に押し込まれたか固定された永久磁石１０の組を有するオスベース部１３からなり、その永久磁石１０の組はそこで動くことができない。
【００２４】
オス締結アセンブリ１４はまた、円筒形オス突出部材２４の外部周囲壁を越えて延びる下側平面を有する２つの正反対の突起傾斜フレア２０および２２も含有する。突起傾斜フレア２０および２２は、オス突出部材２４の外部周囲壁の内側にわずかに組み込まれるそれら自体である、可撓性平面凸部２１および２３の上に組み込まれる。平面凸部２１および２３の屈曲は、突起傾斜フレア２０および２２が円筒形オス突出部材２４の外部周囲壁の内側にそれら自体を十分に挿入することを可能にする。このことは、図１０、図１２ａ、図１２ｂ、図１２ｃおよび図１３に更に例示される。
【００２５】
オスベース部１３のための材料は、前の段落に記載したように、好ましくは、硬質プラスチック複合物材料で、または、凸部２１および２３の一定角度をなす屈曲を受容することもできるアルミニウムなどの磁気非伝導性金属でてきているべきである。
【００２６】
突起傾斜フレア２０および２２の底縁部は、メス締結アセンブリ１５の穴２５に組み込まれた凹溝２６および２８の内側のその突起傾斜フレアのシームレスな回転を可能にするために、丸みを帯び、曲げられている。
【００２７】
突起傾斜フレア２０および２２は、突起傾斜フレア２０および２２を凸部２１および２３の屈曲部の中に押し込むメス下部穴縁部２７の下向きの力を再び向かわせるためにある角度で傾斜し、それ故に、その突起傾斜フレア２０および２２は、それら自体をオス突出部材２４の外部周囲壁の内側に十分に挿入させることを可能にする。
【００２８】
オス突出部材２４は、メス締結アセンブリ１５のメス穴筺体２５へのそれ自体のより一層シームレスな挿入を可能にするために、丸みを帯びた上部部分を有する。
一例として、オス締結アセンブリ１４は、閉止フラップを受け入れることになるハンドバッグの前部に永続的に取り付けられる。オス締結アセンブリ１４は、図６ｂに示されるように、インサート（ｉｎｓｅｒｔ）３２の内側にハンドバッグ生地材料３４を永続的に蝶着すること、接着することまたは機械的に締結することによって取り付けられる。
【００２９】
メス締結アセンブリ１５は、メス穴筺体１１、永久磁石９の組、および相互に接続した外部軸性リング１２からなる。メス穴筺体１１および相互に接続した外部軸性リング１２は、好ましくは、硬質プラスチック複合物材料で、またはアルミニウムなどの磁気非伝導性金属でできている。永久磁石９の組は、それが動くことのできない回転筺体１１の中に永続的に押し込まれるか固定される。
【００３０】
相互に接続した軸性外部リング１２は、メス穴筺体１１内に含有される円形凹状リング開口３１とインターロックされた突起円形リング部材２９によってメス穴筺体１１と相互に接続される。このことは、メス穴筺体１１および相互に接続した軸性外部リング１２が、同じ中心軸３０の周りで相対的で独立した抑制されていない回転運動をすることを可能にする。
【００３１】
一例として、メス締結アセンブリ１５は、図６ｂに示されるようにインサート３３の内側に閉止フラップ材料生地３５を永続的に蝶着すること、接着することまたは機械的に締結することによって、ハンドバッグの閉止フラップの前部に永続的に取り付けられる。
【００３２】
両方の締結アセンブリが閉止フラップを用いてハンドバッグのそれらの個々の部品に永続的に接続される結果として、永久磁石９の組を含有するメス穴筺体１１だけが自由に回転することができる。メス穴筺体１１の上部部分の縁部は、メス穴筺体１１が手動で操作されるように、丸みを帯びている。
【００３３】
図面では、オス締結アセンブリ１４および相互に接続した軸性外部リング１２は固定され、回転することができず、メス穴筺体１１だけが自由に回転することができる。
メス穴筺体１１の下部穴縁部２７は、オス突出部材２４のそのメス穴筺体１１へのより一層シームレスな挿入のために丸みを帯びている。メス穴筺体１１の下部穴縁部２７は、その穴縁部２７もまた突起傾斜フレア２０および２２を押すことになるように、更に丸みを帯びており、凸部２１および２３の屈曲を結果としてもたらすことになる力を生じ、それ故に、突起傾斜フレア２０および２２がオス突出部材２４の外部周囲壁の内側にそれら自体を挿入させることを可能にする。
【００３４】
図８ａ、図８ｂおよび図８ｃは、図７の断面ＶＩＩＩ‐ＶＩＩＩについてのメス締結アセンブリ１５の断面図である。
図８ａは、突起傾斜フレア２０および２２の逆さ形状である凹開口３６および３８で始まる正反対の凹溝２６および２８を示す。その凹開口３６および３８は、ロックされた状態における突起フレア２０および２２の十分な挿入を可能にし、摩擦や、センタリングが少し外れることなどの物理的要因によって引き起こされた相互にロックされた締結アセンブリ１４および１５のあらゆる小さな軸性ミスアライメントを受け入れるために、その突起傾斜フレア２０および２２の形状よりもわずかに大きな形状である。
【００３５】
凹開口３６および３８に位置するそれぞれの中心の真ん中の点３７および３９から始めて、内部壁、溝２６および２８の凹内部壁の奥行きは、軸３０に中心を置いたらせん形円弧４０および４２の形態で時計回りの方向に減少し、個々の点４１および４３で終わり、そのらせん形円弧４０および４２の半径は、メス内部穴壁２５の半径に等しく、そのメス内部穴壁２５もまた軸３０上に中心を置いている。らせん形円弧溝４０および４２の角測長さは、点３７および３９から始まり個々の点４１および４３までの９０度である。
【００３６】
凹溝２６および２８の内部凹壁は、その溝の内側のその突起傾斜フレアの屈曲運動を可能にするために、真っすぐであり、突起傾斜フレア２０および２２よりも更にわずかに大きな高さである。凹溝２６および２８の縁部は、その溝の内側の突起傾斜フレア２０および２２のシームレスな挿入を可能にするために、丸みを帯びている。
【００３７】
凹溝２６および２８は、突起傾斜フレア２０および２２のロックされた状態におけるそれらの自然な突起位置からオス突出部材２４の外部周囲壁の内側のそれらの挿入された位置までのシームレスな９０度の反時計周りの回転変移を可能にする。しかしながら、凹溝２６および２８はまた、ロックされた状態からのフレアの時計周りの回転を妨げることになる。
【００３８】
図１１ａ、図１１ｂおよび図１１ｃは、ロックされた状態における締結アセンブリ１４および１５を示す。突起傾斜フレア２０および２２は、個々の溝２６および２８の個々の凹開口３６および３８の中に十分に延び、個々の真ん中の中心点３７および３９で中心にアライメントされる。このロックされた状態は、外部垂直引っ張り分離力が締結アセンブリに作用し、その締結アセンブリが分離されることを妨げることになる。
【００３９】
その後、それは、永久磁石９および１０の組もそれらの自然な磁気アライメント位置にあるこのロックされた状態にある。それらの個々の締結アセンブリ１４および１５内の永久磁石９および１０の組の永続的な位置付けは、図１に示される永久磁石９および１０の組の磁気吸引アライメントと、図１１ａ、図１１ｂ、図１１ｃに示される締結具アセンブリ１４および１５のロックされた状態とに一致する。
【００４０】
このようにして、永久磁石９および１０の組の相互磁気吸引力はまた、締結アセンブリ１４および１５が、ロックされた状態にアライメントされたままにあることを促すことになる。
【００４１】
その永久磁石の組の相互磁気吸引力よりも大きい外部分離力が、締結アセンブリ１４および１５に作用する場合、個々の凹開口３６および３８の中に十分に延ばされた突起傾斜フレア２０および２２のロックされた状態は、その締結アセンブリの分離を妨げることになる。
【００４２】
別個のオスおよびメス締結アセンブリ１４および１５が互いの近くに引き寄せられるので、放射状磁力は、オス締結アセンブリ１４内に含有される永久磁石１０の組との自然な磁気吸引アライメントへメス穴筺体１１を軸方向に回転させることになる。
【００４３】
２組の永久磁石間の垂直吸引力は、永久磁石９の組が永久磁石１０の組との自然な磁気アライメントの方へ回転するにつれて増加することになる。このことは、図９に示されるように、突出オス部材がメスアセンブリの穴の中に引き寄せられることを結果としてもたらすことになる。
【００４４】
オス突出部材２４はメス穴２５の中に磁気的に引き寄せられるので、下部穴縁部２７はフレア２０および２２の傾斜を押すことになり、それ故に、そのオス突出部材２４の外部周囲壁の内側にそのフレアを挿入する。次いでこのことは、突出部材が、図１０に示されるように、妨害なしに、それ自体を完全に挿入させることを可能にすることになる。
【００４５】
メス穴筺体１１を回転させる磁気アライメント力はまた、凹溝２６および２８をロックされた状態に位置付けることになり、それ故に、図１１ａ、図１１ｂおよび図１１ｃに示されるように凹開口３６および３８の内側のそれらの自然な突起位置に突起傾斜フレア２０および２２を外す。
【００４６】
このことは、閉止フラップを用いてハンドバッグ上に組み込まれた本実施形態の例に関連し得、そこでは、メスアセンブリ１５を含有するハンドバッグの外部フラップは、磁気アライメントへのメス穴筺体１１の自己作動式回転によってオスアセンブリ１４を含有する女性ハンドバッグの前部に磁気的に引き寄せられ、それ故に、それ自体を自動的にロックし、その場合、ハンドバッグの外部フラップはより長く引っ張られて開くことができる。
【００４７】
オスアセンブリ１４および相互に接続した軸性外部リング１２は固定され、回転することができないので、図１２ａ、図１２ｂおよび図１２ｃは、締結具の自然にロックされた位置に対するメス穴筺体アセンブリ１１の相対的な手動の９０度の反時計回りの回転後の締結アセンブリを示す。
【００４８】
永久磁石９の組もまた、メス穴筺体１１と共に９０度回転されているので、図１２ａ、図１２ｂおよび図１２ｃもまた、図２のニュートラルの磁気アライメントと一致する。前記したように、このニュートラルの磁気アライメントは、アセンブリを互いの方へ引っ張る磁気垂直力がないことを結果としてもたらす。
【００４９】
同様に、凹溝２６および２８の９０度の回転は、メス穴筺体の内部穴壁２５が、この際に、オス突出部材２４の外部周囲壁の内側に突起傾斜フレア２０および２２を押すことを結果として生じており、それ故に、メス穴筺体の垂直運動を可能にする。
【００５０】
締結アセンブリ１４および１５は、この際、ロックが解除されたアライメント状態にあり、その場合、そのメスアセンブリ１５は、垂直手動分離力が印加されることによって外される可能性がある。
【００５１】
図１３は、締結具の自然にロックされた位置に対する、９０度と１８０度との間のどこかのメス穴筺体１１の相対的な手動の反時計回りの回転後の締結アセンブリを示す。
永久磁石９の組もまた、メス穴筺体１１と共に９０度を超えて回転されているので、永久磁石９および１０の組は、この際、互いに磁気反発している。磁石の垂直磁気反発力は、アセンブリ９が１８０度の方へ回転するにつれて増加する。
【００５２】
このことは、磁石の磁気反発力によって作動される締結アセンブリの十分な分離を結果としてもたらすことになる。
図１４は、メス穴筺体１１だけの１８０度の相対的な手動の反時計回りの回転後のオスアセンブリ１４から分離され磁気的にはね返されたメス締結アセンブリ１５を例示する。アセンブリ９もまた、メス穴筺体１１と共に１８０度回転されているので、図１４もまた、図３の最大磁気反発アライメントと一致する。
【００５３】
このことは、閉止フラップを用いてハンドバッグ上に組み込まれた本実施形態の例に関連し得、そこでは、メス穴筺体１１の約１８０度の手動回転は、そのハンドバッグから離す閉止フラップのロック解除およびはね返しを結果としてもたらすことになる。
【００５４】
図１５ａから図２５までは、例えば貫通した穴を有する紙のための紙用締結具として、適用され得る独立の自己作動式磁気ロック締結具としての本発明の更なる実施形態を示す。
【００５５】
本実施形態の図面では、オス締結具アセンブリ４５および相互に接続した外部軸性リングカバー４６は手動で保持され、回転することができず、メス穴筺体４８だけが自由に回転することができる。
【００５６】
図１５ａおよび図１５ｂは、オス締結具アセンブリ４５およびメス締結具アセンブリ４４の両方をそれらの個々のアセンブリ部品と共に個別に示す。永久磁石９および１０の組は、それらの個々のアセンブリ内に永続的に位置付けられる。
【００５７】
この実施形態では、オス締結具アセンブリ４５は本発明の凹溝５０および５２を含有する。その結果、引込み可能な突起ピン５１および５３は、メス締結具アセンブリ４４内に組み込まれる。
【００５８】
メス締結具アセンブリ４４はまた、独立して回転するメス穴筺体４８と、軸３０周りの独立の抑制されていない回転運動をする相互に接続した外部軸性リングカバー４６とを含有する。
【００５９】
メス型の相互に接続した外部軸性リングカバー４６およびオス締結具アセンブリ４５は手動で保持され互いの方へ引き寄せられるので、放射状磁力は、オス締結具アセンブリ４５内に含有される永久磁石１０の組との自然な磁気吸引アライメントへメス穴筺体４８を相対的に回転させることになる。２つのアセンブリ４４および４５間の相互垂直吸引力は、永久磁石９の組が永久磁石１０の組との自然な磁気アライメントの方へ回転するにつれて増加することになる。このことは、オス締結具アセンブリ４５の突出部材がメスアセンブリ４４のメス穴筺体４８の中に引き寄せられることを結果としてもたらすことになり、それ故に、メスアセンブリ４４の引込み可能な突起ピン５１および５３をオスアセンブリ４５の凹溝５０および５２とインターロックすることを可能にする。このロックされた状態は図１６ａ、図１６ｂおよび図１６ｃに例示される。
【００６０】
メス穴筺体内に含有される引込み可能な突起ピン５１および５３は、円筒形の丸みを帯びたピン５４および５６をメス穴筺体４８の内部周囲壁の内側に十分に引っ込めることを可能にするバネ５５および５７からなる。このロックが解除された位置は図１７ａ、図１７ｂおよび図１７ｃに更に例示される。
【００６１】
バネ５５および５７と円筒形の丸みを帯びたピン５４および５６は、好ましくは、硬質プラスチック複合物材料で、またはアルミニウムなどの磁気非伝導性金属でできているべきである。オス締結具アセンブリ４５の突出部材がメス穴筺体４８に挿入される際、オス突出部材の丸みを帯びた上部部分は、円筒形の丸みを帯びたピン５４および５６が水平の引込み運動をするように後押しする。このことは、図１８に更に例示される。
【００６２】
オスアセンブリ４５の突出部材の外部周囲壁内に組み込まれた凹溝５０および５２は、第１の実施形態のものに類似しており、その場合、以下のとおりである。
図１６ａおよび図１７ａは、図１６ａ、１６ｂおよび１６ｃに例示されるようにロックされた位置に突起している円筒形の丸みを帯びたピン５４および５６を十分に挿入することを可能にするために、凹溝５０および５２が正反対であり凹開口で始まることを示す。その開口の寸法は、摩擦や、センタリングが少し外れることなどの物理的要因によって引き起こされるロックされた締結具アセンブリ４４および４５のあらゆる小さな軸性ミスアライメントを受け入れるために、突起している円筒形の丸みを帯びたピン５４および５６の寸法よりもわずかに大きい。
【００６３】
しかしながら、インターロックアセンブリ部品は、第１の実施形態と対照的に締結具アセンブリ間で逆さにされているので、第２の実施形態の凹溝５０および５２の方向は、この際、反時計周りである。
【００６４】
凹開口内部壁上に位置しているそれぞれの中心の真ん中の点５８および６０から始めて、溝２６および２８の凹内部壁の奥行きは、軸３０に中心を置いたらせん形円弧５９および６１の形態で反時計回り方向に減少し、個々の点６２および６４で終わり、そのらせん形円弧５９および６１の半径は、オス突出部材の外部周囲壁の半径に等しく、そのらせん形円弧５９および６１の半径もまた、軸３０に中心を置いている。らせん形円弧溝４０および４２の角測長さは、点５８および６０から始まりそれぞれの点６２および６４までの９０度である。
【００６５】
凹溝５０および５２の内部凹壁は、凹状に丸みを帯びており、丸みを帯びた円筒形ピン５４および５６の丸みを帯びた端部よりもわずかに大きい。このことは、点５８〜６０とアライメントされたそれらの自然な突起位置からメス穴の内部周囲壁の内側の点６２〜６４とアライメントされたそれらのそれぞれ引き込まれた位置への、その丸みを帯びた円筒形ピン５４および５６のシームレスな制限のない９０度の反時計周りの回転変移を可能にすることになる。凹溝５０および５２はまた、その丸みを帯びた円筒形ピン５４および５６の時計周りの回転を妨げることになる。
【００６６】
図１６ａ、図１６ｂおよび図１６ｃは、ロックされた状態における締結具アセンブリを示す。突起円筒形ピン５４および５６のいずれも溝６６および５２の凹開口の内側にある。このロックされた状態は、外部の垂直分離力によって作用された締結具アセンブリの垂直運動を妨げることになる。
【００６７】
図１７ａ、図１７ｂおよび図１７ｃは、締結具の自然にロックされた位置に対するメス穴筺体４８だけの相対的な９０度の手動の反時計回りの回転後の締結具アセンブリを示す。
【００６８】
前記したように、このニュートラルの磁気アライメントは、アセンブリを互いの方へ吸引する磁気垂直力がないことを結果としてもたらすことになる。同様に、メス穴筺体の９０度の反時計回りの回転は、個々の溝５０および５２から突起ピン５４および５６を完全に引っ込めることを結果としてもたらしており、それ故に、メス穴筺体の垂直運動を可能にする。
【００６９】
締結アセンブリ４４および４５は、この際、ロックが解除されたアライメント状態にあり、その場合、そのメスアセンブリ１５は、垂直手動分離力が印加されることによって外される可能性がある。
【００７０】
図１８は、締結具の自然にロックされた位置に対して、９０度と１８０度との間のどこかのメス穴筺体４８の相対的な手動の反時計回りの回転後の締結具アセンブリを示す。
このことは、磁石の磁気反発力によって作動される締結具アセンブリの完全な分離を結果としてもたらすことになる。
【００７１】
図１９は、メス穴筺体４８だけの１８０度の相対的な手動の反時計回りの回転後にオス締結具アセンブリ４５から分離され磁気的にはね返されたメス締結アセンブリ４４を例示する。永久磁石９の組もまた、メス穴筺体１１と共に１８０度回転されているので、図１９もまた、図３の最大磁気反発アライメントと一致する。
【００７２】
本発明の更なる実施形態の内部磁気作用を理解するために、我々は、図２０〜図２２に例示されるように、交互に面した極性を持つ２組の永久磁石６５および６６に作用する異なる磁気アライメント力をまず再検討する必要がある。
【００７３】
永久磁石６５および６６の組のそれぞれは、この際、交互に放射状に面した磁極性を備える正反対の円弧形磁石であって、それらの円弧端で全て永続的に接続される円弧形磁石の２つの同一の組から構成される。永久磁石６５および６６の組は高さが等しいので、外部の永久磁石６６の組は、内部の永久磁石６５の組よりもわずかに高く位置付けられる。
【００７４】
以下の３つの例示では、永久磁石６５の組は不動の固定された位置にあり、永久磁石６６の組は、手動で軸３０周りに回転され得、また、図２０に例示されたそれが保持された垂直位置から上向きに手動で引っ張られ得る。
【００７５】
磁石は、好ましくは、ＮｄＦｅＢネオジウム磁石であるか、または他の永久磁石材料または複合物からなる。
図２０は、相互の最大吸引磁力によって自然な磁気アライメント状態にある２組の永久磁石６５および６６を示し、それ故に、永久磁石６６の組が、この現在のアライメントのままにあることを促す。永久磁石の各組からの円弧形磁石の対は、それらの個々の磁気的な吸引相手とアライメントされる。
【００７６】
この自然な磁気アライメントは、図２０の自然な磁気アライメントに対して永久磁石６６の組の軸３０回りの１８０度の相対的な回転によって繰り返され得る。従って、永久磁石６５および６６の組の磁気配置は、正反対である２つの自然な磁気アライメント位置を可能にする。
【００７７】
図２０に関して、図２１は、垂直分離運動で完了された、永久磁石６６の組の軸３０周りの相対的な４５度の反時計周りの手動回転後の永久磁石６５および６６の両方の組を示す。
【００７８】
図２１は、ニュートラルの磁気アライメント状態にある永久磁石６５および６６の組を示す。永久磁石の組を互いの方へ引く相互垂直力はない。このアライメントにおける磁石の吸引および反発垂直磁力の合計は、互いに打ち消される。しかしながら、垂直力を結果としてもたらす時計周りの放射状磁力は、永久磁石６６の組が、図２０の自然なアライメントにそれ自体を再びアライメントすることを促す。
【００７９】
このニュートラルの磁気アライメントは、自然な磁気アライメントから始まる９０度の回転毎に繰り返され得る。
図２０に関して、図２２は、永久磁石６６の組の垂直軸３０周りの相対的な９０度の手動回転後の永久磁石６５および６６の両方の組を示す。
【００８０】
図２２は、互いに相互の最大磁気反発でアライメントされた永久磁石６５および６６の組を示す。永久磁石６５および６６の各組からの磁石は、それらの個々の磁気反発相手とアライメントされる。
【００８１】
この最大磁気反発アライメントは、図２２に対して永久磁石６６の組の軸３０周りの１８０度の相対的な回転によって繰り返され得る。従って、永久磁石６５および６６の組の磁気配列は、正反対である２つの最大磁気反発アライメント位置を可能にする。
【００８２】
永久磁石６５の組に対する永久磁石６６の組の上向きの分離を得るために、永久磁石６６の組は、磁場の現在のアライメントによって生じる上向きの反発力を得るために、永久磁石６５の組よりも一層上げられなければならない。
【００８３】
図２３ａから図２７までは、磁気自己作動式ロック閉止容器として利用された本発明の更なる実施形態を示す。
図２３ａ、図２３ｂおよび図２３ｃは、メス閉止カバーアセンブリ６３およびオス容器アセンブリ６８をそれらの個々のアセンブリ部品と共に個別に示す。
【００８４】
ここで、この更なる実施形態のメス閉止カバーアセンブリ６３およびオス容器アセンブリ６８が、交互に面した極性の対称的な磁極アレイに配列された２組の正反対の永久磁石をそれぞれ含むことを考えると、２組の正反対の突起フレアおよび溝はまた、凹溝７１、７３、７５および７７ならびに可撓性突起傾斜フレア７２、７４、７６および７８に例示されるような第３の実施形態に含有される。
【００８５】
永久磁石６５および６６の組は、図２０に示されるそれらのその自然な磁気吸引アライメントと、図２４ａ、図２４ｂおよび図２４ｃに示される閉止容器のロックされた状態とに従って、それらの個々のアセンブリ内に永続的に位置付けられる。
【００８６】
可撓性突起傾斜フレア７２、７４、７６および７８は、本発明の第１の実施形態と同じ手法で構成される。
凹溝７１、７３、７５および７７は、そのロックされた状態におけるそれらの自然な突起位置から、図２１に例示された永久磁石６５および６６の組のニュートラルの磁気アライメントと一致する、それらが曲げられて挿入された状態への可撓性突起傾斜フレア７２、７４、７６および７８のシームレスな４５度の反時計周りの回転変移を可能にするために、各らせん形円弧長がこの際に４５度であることを除いては第１の実施形態と類似する。図２５ａ、図２５ｂおよび図２５ｃは、ロックされた状態における閉止容器アセンブリ６３および６８に対するメス穴筺体カバー６７の相対的な４５度の手動の反時計回りの回転後の閉止容器アセンブリ６３および６８を示す。
【００８７】
閉止容器は、この際、ロックが解除されたアライメント状態にあり、その場合、メス閉止カバーアセンブリ６３は、垂直手動分離力が印加されることによって分離される可能性がある。
【００８８】
図２６は、ロックされた状態にある閉止容器に対して、４５度と９０度との間のどこかのメス穴筺体カバー６７の相対的な手動の反時計周りの回転後の閉止容器アセンブリ６３および６８を示す。
【００８９】
磁石の相互垂直磁気反発力は、アセンブリ６６が９０度の方へ回転するにつれて増加する。このことは、オス容器アセンブリ６８から離すメス閉止カバーアセンブリ６３のロック解除およびはね返しを結果としてもたらすことになる。
【００９０】
図２７は、メス穴筺体カバー６７の９０度の相対的な手動の反時計回りの回転後にオス容器アセンブリ６８から分離され磁気的にはね返されたメスカバーアセンブリ６３を示す。永久磁石６６の組もまた、そのメス穴筺体カバー６７と共に９０度回転されているので、図２７はまた、図２２の相互の最大磁気反発アライメントと一致する。
【００９１】
図２８は、ロックされた状態にある本発明の実施形態の断面図であり、図２９は、ロックが解除された状態にある本発明の実施形態の断面図である。
【図１】
2014523496.tif 000003
【図２】
2014523496.tif 000004
【図３】
2014523496.tif 000005
【図４】
2014523496.tif 000006
【図５ａ】
2014523496.tif 000007
【図５ｂ】
2014523496.tif 000008
【図６ａ】
2014523496.tif 000009
【図６ｂ】
2014523496.tif 000010
【図７】
2014523496.tif 000011
【図８ａ】
2014523496.tif 000012
【図８ｂ】
2014523496.tif 000013
【図８ｃ】
2014523496.tif 000014
【図９】
2014523496.tif 000015
【図１０】
2014523496.tif 000016
【図１１ａ】
2014523496.tif 000017
【図１１ｂ】
2014523496.tif 000018
【図１１ｃ】
2014523496.tif 000019
【図１２ａ】
2014523496.tif 000020
【図１２ｂ】
2014523496.tif 000021
【図１２ｃ】
2014523496.tif 000022
【図１３】
2014523496.tif 000023
【図１４】
2014523496.tif 000024
【図１５ａ】
2014523496.tif 000025
【図１５ｂ】
2014523496.tif 000026
【図１６ａ】
2014523496.tif 000027
【図１６ｂ】
2014523496.tif 000028
【図１６ｃ】
2014523496.tif 000029
【図１７ａ】
2014523496.tif 000030
【図１７ｂ】
2014523496.tif 000031
【図１７ｃ】
2014523496.tif 000032
【図１８】
2014523496.tif 000033
【図１９】
2014523496.tif 000034
【図２０】
2014523496.tif 000035
【図２１】
2014523496.tif 000036
【図２２】
2014523496.tif 000037
【図２３ａ】
2014523496.tif 000038
【図２３ｂ】
2014523496.tif 000039
【図２３ｃ】
2014523496.tif 000040
【図２４ａ】
2014523496.tif 000041
【図２４ｂ】
2014523496.tif 000042
【図２４ｃ】
2014523496.tif 000043
【図２５ａ】
2014523496.tif 000044
【図２５ｂ】
2014523496.tif 000045
【図２５ｃ】
2014523496.tif 000046
【図２６】
2014523496.tif 000047
【図２７】
2014523496.tif 000048
【図２８】
2014523496.tif 000049
【図２９】
2014523496.tif 000050
【国際調査報告】
2014523496.tif 000051
2014523496.tif 000052